(57)【要約】【課題】液晶表示装置において、組立作業時に係合凸部が係合穴の端縁から外れることを防止し、組み立て作業を容易にする。【解決手段】管固定部材１１の係合凸部１１ｃが係合される係合穴７ｃの周辺に、防護壁７ｄを形成する。防護壁７ｄは、フレーム７の底面７ａから突出される係合凸部１１ｃより高く形成され、組立作業時に作業者の手が係合凸部１１ｃに接触するのを防止する。これにより、液晶駆動回路９の装着等において、フレーム７を裏返しにして作業を行う場合にあっても、係合凸部１１ｃが係合穴７ｃの端縁から外れることがなくなり、組み立て作業が容易になる。【選択図】図８
2007304434.tif 000002
【特許請求の範囲】
【請求項１】
印加された電圧に応じて特定の光を透過させて、画像を表示する液晶セルと、この液晶セルの背面から光を照射する複数本の冷陰極管と、前記液晶セルと前記冷陰極管との間に配設され、前記冷陰極管から前方に出射された光を拡散させる光拡散手段と、前記冷陰極管の背面に配設され、前記冷陰極管から後方に出射された光を前方に反射させる光反射手段と、
前記液晶セル、冷陰極管、光拡散手段及び光反射手段を支持する有底のフレームと、前記液晶セルに駆動電圧を印加するために、前記フレームの背後に搭載された液晶駆動回路とを備え、
各冷陰極管は、前記液晶セルの長手方向に平行に配列され、前記フレームの端縁部に装着される管固定部材によって固定される液晶表示装置において、
前記冷陰極管の端部には、ゴム製パッドが装着され、
前記管固定部材は、前記ゴム製パッドを前記フレームの底面に押圧する管押圧部と、前記液晶セルの短手方向に弾性変形可能であり、前記フレームの底面側に突出されて、該底面と係合される１対の係合凸部とを有し、
前記フレームの底面は、前記管固定部材の係合凸部に対応する係合穴と、この係合穴の端縁と前記係合凸部との係合状態を維持するために、該係合穴の周辺の全方位に亘って該フレームの背面側に立設された防護壁を有し、
前記防護壁の高さ寸法は、フレームの底面からの係合凸部の突出寸法よりも大きく設定され、
装置の組立作業時に、前記係合凸部に作業者の手が直接触れないようにして、前記係合凸部が前記係合穴の端縁から外れることを防止し、組み立て作業を容易に行えるようにしたことを特徴とする液晶表示装置。
【請求項２】
印加された電圧に応じて特定の光を透過させて、画像を表示する液晶セルと、この液晶セルの背面から光を照射するバックライトと、前記液晶セル及びバックライトを支持する有底のフレームとを備え、
各バックライトは、前記フレームの端縁部に装着されるライト固定部材によって固定される液晶表示装置において、
前記ライト固定部材は、前記バックライトを前記フレームの底面に押圧するライト押圧部と、前記フレームの底面側に突出されて、該底面と係合される１対の係合凸部とを有し、
前記フレームの底面は、前記ライト固定部材の係合凸部に対応する係合穴と、この係合穴の端縁と前記係合凸部との係合状態を維持するために、該フレームの背面側に立設された防護壁を有することを特徴とする液晶表示装置。
【請求項３】
前記係合凸部は、前記フレームの底面に平行な方向に弾性変形可能であり、
前記防護壁は、少なくとも前記係合凸部に対して、該係合凸部が弾性変形される方向とは逆の側に形成されていることを特徴とする請求項２に記載の液晶表示装置。
【発明の詳細な説明】
【技術分野】
【０００１】
本発明は、テレビジョン放送やパーソナルコンピュータ等の画像を表示する液晶表示装置に関するものである。
【背景技術】
【０００２】
従来から、液晶表示装置においては、液晶セルのバックライトとして冷陰極管が用いられている。冷陰極管は、管固定部材を介してフレームに搭載されている。管固定部材は、フレームの端縁部に装着される。管固定部材には、通常、フレームに形成されている係合穴の端縁と係合する係合凸部が設けられている。係合凸部は、係合穴の内側に弾性変形可能であり、管固定部材によって冷陰極管を保持させた状態で係合凸部の先端をフレームの係合穴に差し込むことにより、係合凸部が係合穴の端縁に係合され、冷陰極管が固定される。そして、フレームの背面側には、液晶セルに駆動電圧を印加する液晶駆動回路が搭載される。ところが、フレームの背面側には、係合穴の端縁に係合されている係合凸部の先端が剥き出しで突出しているため、作業者が誤って係合凸部の先端に触れてしまうと、係合凸部が係合穴の端縁から外れることがある。このような場合、冷陰極管及び管固定部材の組み付け作業を再度行わなければならなくなる。また、作業者が係合凸部の先端に触れないように注意を払いながら作業を行わなければならず、作業効率が低下する。
【０００３】
なお、特許文献１には、Ｕ字状蛍光ランプの折り返し部をスペーサチューブに嵌着して保持することにより、折り返し部にストレスが発生しないようにした液晶表示装置が示されている。また、特許文献２には、Ｕ字状蛍光ランプの折り返し部を固定することにより、ランプの移動を防止する液晶表示装置が示されている。また、特許文献３には、Ｕ字状蛍光ランプの折り返し部を反射板兼ケースに形成した係止片に係止する構成を有する液晶表示装置が示されている。また、特許文献４には、ガイド溝によってランプハウスの回路基板への取り付けを容易にした液晶表示装置が示されている。上記特許文献に示された技術を適用しても、上述した課題を解消できない。
【特許文献１】特開２００４−３４２３３５号公報
【特許文献２】特開２００５−３０２７２１号公報
【特許文献３】特開平８−７６１２１号公報
【特許文献４】実開平６−５９８２６号公報
【発明の開示】
【発明が解決しようとする課題】
【０００４】
本発明は、上記課題を解決するためになされたものであり、組立作業時に係合凸部が係合穴の端縁から外れることを防止し、組み立て作業を容易に行えるようにした液晶表示装置を提供することを目的とする。
【課題を解決するための手段】
【０００５】
上記目的を達成するために請求項１の発明は、印加された電圧に応じて特定の光を透過させて、画像を表示する液晶セルと、この液晶セルの背面から光を照射する複数本の冷陰極管と、液晶セルと冷陰極管との間に配設され、冷陰極管から前方に出射された光を拡散させる光拡散手段と、冷陰極管の背面に配設され、冷陰極管から後方に出射された光を前方に反射させる光反射手段と、液晶セル、冷陰極管、光拡散手段及び光反射手段を支持する有底のフレームと、液晶セルに駆動電圧を印加するために、フレームの背後に搭載された液晶駆動回路とを備え、各冷陰極管は、液晶セルの長手方向に平行に配列され、フレームの端縁部に装着される管固定部材によって固定される液晶表示装置において、冷陰極管の端部には、ゴム製パッドが装着され、管固定部材は、ゴム製パッドをフレームの底面に押圧する管押圧部と、液晶セルの短手方向に弾性変形可能であり、フレームの底面側に突出されて、該底面と係合される１対の係合凸部とを有し、フレームの底面は、管固定部材の係合凸部に対応する係合穴と、この係合穴の端縁と係合凸部との係合状態を維持するために、該係合穴の周辺の全方位に亘って該フレームの背面側に立設された防護壁を有し、防護壁の高さ寸法は、フレームの底面からの係合凸部の突出寸法よりも大きく設定され、装置の組立作業時に、係合凸部に作業者の手が直接触れないようにして、係合凸部が係合穴の端縁から外れることを防止し、組み立て作業を容易に行えるようにしたものである。
【０００６】
請求項２の発明は、印加された電圧に応じて特定の光を透過させて、画像を表示する液晶セルと、この液晶セルの背面から光を照射するバックライトと、液晶セル及びバックライトを支持する有底のフレームとを備え、各バックライトは、フレームの端縁部に装着されるライト固定部材によって固定される液晶表示装置において、ライト固定部材は、バックライトをフレームの底面に押圧するライト押圧部と、フレームの底面側に突出されて、該底面と係合される１対の係合凸部とを有し、フレームの底面は、ライト固定部材の係合凸部に対応する係合穴と、この係合穴の端縁と係合凸部との係合状態を維持するために、該フレームの背面側に立設された防護壁を有するものである。
【０００７】
請求項３の発明は、請求項２に記載の液晶表示装置において、係合凸部は、フレームの底面に平行な方向に弾性変形可能であり、防護壁は、少なくとも係合凸部に対して、該係合凸部が弾性変形される方向とは逆の側に形成されているものである。
【発明の効果】
【０００８】
請求項１の発明によれば、係合穴の周辺の全方位に亘ってフレームの背面側に防護壁が立設されているので、装置の組立作業時に、いずれの方向から作業者の手が出されても、係合凸部に作業者の手が直接触れることがない。従って、係合凸部が係合穴の端縁から外れることがなくなり、組み立て作業を容易に行えるようになる。また、防護壁の高さ寸法は、フレームの底面からの係合凸部の突出寸法よりも大きく設定されているので、係合凸部と作業者の手との接触をより一層防止することができる。これにより、作業者が係合凸部の先端に触れないように注意を払いながら作業を行う必要がなくなり、作業効率が向上する。また、冷陰極管の端部には、ゴム製パッドが装着されているので、冷陰極管を傷つけることなく固定できる。
【０００９】
請求項２の発明によれば、フレームの背面側に防護壁が立設されているので、装置の組立作業時に、いずれの方向から作業者の手が出されても、係合凸部に作業者の手が直接触れ難くなる。従って、係合凸部が係合穴の端縁から外れる危険性を減少させることができ、組み立て作業を容易に行えるようになる。
【００１０】
請求項３の発明によれば、防護壁は、少なくとも係合凸部に対して、係合凸部が弾性変形される方向とは逆の側に形成されているので、係合凸部の弾性変形を効果的に防止することができ、係合凸部が係合穴の端縁から外れる危険性を減少させることができる。
【発明を実施するための最良の形態】
【００１１】
本発明を実施するための実施形態による液晶表示装置について図面を参照して説明する。図１は液晶表示装置の概略構成を示している。液晶表示装置１は、画像を表示する液晶セル２と、液晶セル２の背面から光を照射する冷陰極管（バックライト）３と、冷陰極管３から前方に出射された光を拡散させる光拡散板（光拡散手段）４及び光拡散シート（光拡散手段）５と、冷陰極管３から後方に出射された光を前方に反射させる光反射板（光反射手段）６と、液晶セル２、冷陰極管３、光拡散板４、光拡散シート５及び光反射板６を支持する有底のフレーム７と、液晶セル２、冷陰極管３、光拡散板４、光拡散シート５及び光反射板６をフレーム７に固定するためのベゼル８と、液晶セル２に駆動電圧を印加する液晶駆動回路９と、これらを収容する筐体（図示せず）等によって構成されている。
【００１２】
液晶セル２は、液晶駆動回路９から印加された電圧に応じて特定の光を透過させて、画像を表示する。冷陰極管３は、液晶セル２の長手方向に平行に複数本並べて配列されている。光拡散板４及び光拡散シート５は、冷陰極管３と液晶セル２との間に配設され、冷陰極管３から前方に出射された光及び光反射板６によって反射された光を拡散させることにより、液晶セル２から表示される画像の明るさを均一化する。光反射板６は、冷陰極管３の背面側においてフレーム７の底面７ａに沿って配設されている。液晶駆動回路９は、制御回路（図示せず）から出力された画像信号に応じた駆動電圧を液晶セル２の端子に印加する。
【００１３】
図２及び図３は、冷陰極管３の取り付け構造を示している。フレーム７の底面７ａの端縁部には、冷陰極管３の端部を挿通させるための開口７ｂが形成されている。冷陰極管３は、フレーム７の開口７ｂに装着される管固定部材（ライト固定部材）１１によって、２本を一組にしてフレーム７に固定されている。冷陰極管３の端部には、ゴム製のパッド１２が装着されている。パッド１２とフレーム７及び管固定部材１１とは、互いに対応する形状に形成されている。
【００１４】
図４は、管固定部材１１を示している。管固定部材１１は、パッド１２をフレーム７の底面７ａに押圧する管押圧部１１ａ、１１ｂと、フレーム７の係合穴７ｃの端縁と係合される１対の係合凸部１１ｃとを有している。管押圧部１１ａ、１１ｂ及び係合凸部１１ｃは、フレーム７の底面７ａの側に突出して形成されている。係合凸部１１ｃは、側面視で管押圧部１１ａと管押圧部１１ｂの間に形成されている。従って、管押圧部１１ａ、１１ｂによって均等にパッド１２を押圧することができる。また、１対の係合凸部１１ｃは、液晶セル２の短手方向に、互いに接近する向きに弾性変形可能である。管固定部材１１のフレーム７への装着は、図２及び図３に示すように、係合凸部１１ｃを弾性変形させながら係合穴７ｃに差し込むことによりなされる。
【００１５】
図５は、フレーム７の係合穴７ｃの周辺構成を示している。フレーム７の底面７ａには、管固定部材１１の係合凸部１１ｃに対応する矩形状の係合穴７ｃと、フレーム７の背面側に立設された防護壁７ｄが形成されている。防護壁７ｄは、係合穴の周辺の全方位に亘って矩形状に設けられている。また、防護壁７ｄの高さ寸法は、フレーム７の底面７ａからの係合凸部１１ｃの突出寸法よりも大きく設定されている（図８参照）。
【００１６】
図６乃至図８は、冷陰極管３及び管固定部材１１がフレーム７に組み付けられた状態を示している。冷陰極管３は、管固定部材１１の係合凸部１１ｃとフレーム７の底面７ａに挟まれた状態でフレーム７に組み付けられる。ここで、図７及び図８に示すように、係合穴７ｃの周辺の全方位に亘って防護壁７ｄが形成されているので、液晶駆動回路９の装着等において、フレーム７を裏返しにして作業を行う場合にあっても、作業者の手が係合凸部に直接触れることがない。
【００１７】
以上のように、本実施形態の液晶表示装置１によれば、係合穴７ｃの周辺の全方位に亘ってフレーム７の背面側に防護壁７ｄが立設されているので、装置の組立作業時に、いずれの方向から作業者の手が出されても、係合凸部１１ｃに作業者の手が直接触れることがない。従って、係合凸部１１ｃが係合穴７ｃの端縁から外れることがなくなり、組み立て作業を容易に行えるようになる。また、防護壁７ｄの高さ寸法は、フレーム７の底面７ａからの係合凸部１１ｃの突出寸法よりも大きく設定されているので、係合凸部１１ｃと作業者の手との接触をより一層防止することができる。これにより、作業者が係合凸部１１の先端に触れないように注意を払いながら作業を行う必要がなくなるので、作業効率が向上する。
。また、冷陰極管３の端部には、ゴム製のパッド１２が装着されているので、冷陰極管３を傷つけることなく固定できる。
【００１８】
なお、本発明は上記実施形態の構成に限られることなく、少なくともフレーム７の底面７ａに、係合穴７ｃの端縁と係合凸部１１ｃとの係合状態を維持するための防護壁７ｄが立設されていればよい。
【図面の簡単な説明】
【００１９】
【図１】本発明の一実施形態による液晶表示装置の概略構成を示す斜視図。
【図２】フレームの正面側から視た冷陰極管の取り付け構造を示す組み立て斜視図。
【図３】フレームの背面側から視た冷陰極管の取り付け構造を示す組み立て斜視図。
【図４】（ａ）は管固定部材の背面図、（ｂ）は同部材の側断面図。
【図５】（ａ）は管固定部材の背断面図、（ｂ）は同部材の側断面図。
【図６】フレームの正面側から視た組み立て完了後の冷陰極管の取り付け構造を示す斜視図。
【図７】フレームの背面側から視た組み立て完了後の冷陰極管の取り付け構造を示す斜視図。
【図８】（ａ）は組み立て完了後の冷陰極管の取り付け構造を示す背断面図、（ｂ）は同構造の側断面図。
【符号の説明】
【００２０】
１    液晶表示装置
２    液晶セル
３    冷陰極管（バックライト）
４    光拡散板（光拡散手段）
５    光拡散シート（光拡散手段）
６    光反射板（光反射手段）
７    フレーム
７ａ    底面
７ｂ    開口
７ｃ    係合穴
７ｄ    防護壁
８    ベゼル
９    液晶駆動回路
１１    管固定部材（ライト固定部材）
１１ａ、１１ｂ    管押圧部
１１ｃ    係合凸部
１２    パッド
【図１】
2007304434.tif 000003
【図２】
2007304434.tif 000004
【図３】
2007304434.tif 000005
【図４】
2007304434.tif 000006
【図５】
2007304434.tif 000007
【図６】
2007304434.tif 000008
【図７】
2007304434.tif 000009
【図８】
2007304434.tif 000010